(57)【要約】本発明は携帯性と使用性を向上させることができる多用途カバー支持台に関し、ページ部の前後面に折り畳まれて、バインダーによってバインディングされる前面カバーと後面カバーとを含む。この時、前面カバーは、分節ラインによって区画されるメイン前面カバーとサブ前面カバーとからなり、メイン前面カバーとサブ前面カバーとの間には、そのメイン前面カバーとサブ前面カバーが開かれた角度を維持するように互いに連結される角度維持部が設置される。この時、前面カバーと後面カバーとの間には、その前面カバーと後面カバーが折り畳まれる状態を維持したり、立てられた状態を維持することができるようにする状態維持部が設置されることもできる。
2010533028.tif 000002
【特許請求の範囲】
【請求項１】
ページ部(1２０)の前後面に折り畳まれて、バインダー（１１０）によってバインディングされる前面カバー（１３０）と後面カバー（１４０）とを含むカバー支持台において、
上記前面カバー（１３０）は、分節ライン（１３０ａ）によって区画されるメイン前面カバー（１３１）とサブ前面カバー（１３２）とからなり、上記メイン前面カバー（１３１）とサブ前面カバー（１３２）との間には、そのメイン前面カバー（１３１）とサブ前面カバー（１３２）が開かれた角度を維持するように互いに連結される角度維持部（１５０）が設置されることを特徴とする多用途カバー支持台。
【請求項２】
上記前面カバー(１３０)と後面カバー(１４０)との間を連結して、その前面カバー(１３０)と後面カバー(１４０)とが折り畳まれた状態を維持したり、立てられた状態を維持することができるようにする状態維持部(１６０)をさらに含むことを特徴とする請求項１に記載の多用途カバー支持台。
【請求項３】
上記メイン前面カバー(１３１)に水平方向にそのメイン前面カバー(１３１)より薄い厚さの段差部面(１３１ａ)が形成されており、
上記サブ前面カバー(１３２)は上記分節ライン(１３０ａ)を中心に折り畳まれる時上記段差部面(１３１ａ)に折り畳まれ、
上記メイン前面カバー(１３１)とサブ前面カバー(１３２)との間に設置されて、そのメイン前面カバー(１３１)とサブ前面カバー(１３２)とが折り畳まれた状態を維持することができるようにする着脱部(１３６)をさらに含むことを特徴とする請求項１または２に記載の多用途カバー支持台。
【請求項４】
上記角度維持部(１５０)は、上記メイン前面カバー(１３１)とサブ前面カバー(１３２)との間に設置されて折り畳まれるバンドであることを特徴とする請求項１または２に記載の多用途カバー支持台。
【請求項５】
上記角度維持部(１５５)は、上記前面カバー(１３０)の下端に折り畳まれることができるように連結されて、上記前面カバー(１３０)から開いた時、上記サブ前面カバー(１３２)の端部が係止されたり、上記前面カバー(１３０)に折られた時、上記メイン前面カバー(１３１)の係止溝(１３１ｂ)に嵌め込まれる複数の係止突起(１５５ｂ、１５６ｂ)を有することを特徴とする請求項１または２に記載の多用途カバー支持台。
【請求項６】
上記状態維持部(１６０)は、上記前面カバー(１３０)と後面カバー(１４０)の中のいずれか一つに設置されるバンド部材１６１と、上記バンド部材１６１に設置される第１着脱部１６２と、上記前面カバー(１３０)と後面カバー(１４０)の中の他の一つに設置されて、上記第１着脱部１６２に着脱される第２着脱部(１６３)と、上記第２着脱部(１６３)の上部に設置されて、上記第１着脱部１６２に着脱される第３着脱部(１６４)とを含むことを特徴とする請求項２に記載の多用途カバー支持台。
【請求項７】
上記前面カバー(１３０)のメイン前面カバー(１３１)に形成されて、写真が着脱される一つまたは二つ以上の写真着脱部をさらに含み、
上記写真着脱部は、上記メイン前面カバーに形成されたウィンドウ(１７１ａ、１７２ａ、１７３ａ、１７４ａ)と、上記ウィンドウの側部に形成されて、上記メイン前面カバー(１３１)内部に写真が進入される写真出入部（１７１ｂ、１７２ｂ、１７３ｂ、１７４ｂ）とを含むことを特徴とする請求項１または２に記載の多用途カバー支持台。
【請求項８】
上記前面カバー(１３０)のメイン前面カバー(１３１)に形成されて、写真が着脱される一つまたは二つ以上の写真着脱部をさらに含み、
上記写真着脱部は、上記メイン前面カバー(１３１)の表面に形成された写真出入部(１７５ａ)と、上記写真出入部(１７５ａ)を開閉するウィンドウ(１７５ｂ)と、上記ウィンドウ(１７５ｂ)及び写真出入部(１７５ａ)のそれぞれに設置されて、そのウィンドウ(１７５ｂ)が写真出入部(１７５ａ)に畳まれた状態を維持することができるようにする磁力式着脱部(１７５ｃ、１７５ｄ)とを含むことを特徴とする請求項１または２に記載の多用途カバー支持台。
【請求項９】
上記バインダー(１１０)または前面カバー(１３０)または後面カバー(１４０)に設置されて、各種情報が印刷されたり、筆記できるようにするページ部を着脱可能に支持するためのページ着脱部をさらに含むことを特徴とする請求項１または２に記載の多用途カバー支持台。
【請求項１０】
上記ページ着脱部（１８３）は、上記前面カバー(１３０)と後面カバー(１４０)を直接連結するバインダー(１１０)に形成されて、上記ページ部(１２０)をバインディングするサブ締結リング１２１が嵌め込まれる複数の嵌込溝(１８３ａ)と、上記嵌込溝(１８３ａ)に突出されるサブ締結リング(１２１)を貫通する固定帯(１８３ｂ)とを含むことを特徴とする請求項９に記載の多用途カバー支持台。
【請求項１１】
上記後面カバー(１４０)は、分節ライン(１４０ａ)によって区画されるメイン後面カバー１４１とサブ後面カバー(１４２)とからなり、
上記メイン後面カバー１４１とサブ後面カバー(１４２)との間に設置されて、そのメイン後面カバー(１４１)とサブ後面カバー(１４２)とが折り畳まれた状態を維持することができるようにする着脱部（１４６）をさらに含むことを特徴とする請求項１に記載の多用途カバー支持台。
【請求項１２】
上記メイン後面カバー(１４１)は、中間上部または下部側に水平方向に段差が形成されることによって、そのメイン後面カバー(１４１)より薄い厚さを有する段差部面（１４１ａ）が形成され、上記サブ後面カバー(１４２)は分節ライン(１４０ａ)を中心に折り畳まれる時、段差部面(１４１ａ)に折り畳まれることを特徴とする請求項１１に記載の多用途カバー支持台。
【請求項１３】
上記サブ後面カバー(１４２)には上記分節ライン(１３０ａ)の側のメイン前面カバー(１３１)に設置された第２着脱部(１６３)が着脱される第５着脱部(１６６)が設置されることを特徴とする請求項１１に記載の多用途カバー支持台。
【請求項１４】
上記後面カバー(１４０)は、その上端が連結されて、互いに折り畳まれることができるメイン後面カバー(１４３ａ)とサブ後面カバー（１４３ｂ）とからなり、
上記メイン後面カバー(１４３ａ)とサブ後面カバー(１４３ｂ)との間に設置されて、そのメイン後面カバー(１４３ａ)とサブ後面カバー(１４３ｂ)とが開かれた角度を維持することができるように互いに連結されるサブ角度維持部（１４４）をさらに含み；
上記メイン前面カバー(１４３ａ)とサブ前面カバー(１４３ｂ)に設置されて、そのメイン前面カバー(１４３ａ)とサブ前面カバー(１４３ｂ)が折り畳まれた状態を維持することができるようにするサブ着脱部(１４５)をさらに含むことを特徴とする請求項１に記載の多用途カバー支持台。
【請求項１５】
ページ部(２００)の前後面に折り畳まれて、バインダー(２１０)によってバインディングされる前面カバー(２３０)と後面カバー(２４０)を含むカバー支持台において、
上記前面カバー(２３０)は、分節ライン(２３０ａ)によって区画されるメイン前面カバー２３１とサブ前面カバー(２３２)とからなり；
上記メイン前面カバー(２３１)とサブ前面カバー(２３２)との間にはそのメイン前面カバー(２３１)とサブ前面カバー(２３２)が開かれた角度を維持するように互いに連結される角度維持部(２５０)が設置され；
上記サブ前面カバー(２３２)の端部には第１着脱部(２６１)が設置され；
上記後面カバー(２４０)の端部には、上記第１着脱部(２６１)に附着される第２着脱部(２６２)が設置されることを特徴とする多用途カバー支持台。
【請求項１６】
上記バインダー(２１０)または前面カバー(２３０)または後面カバー(２４０)に設置されて、各種情報が印刷されたり、筆記できるようにするページ部を着脱可能に支持するためのページ着脱部をさらに含むことを特徴とする請求項１４に記載の多用途カバー支持台。
【発明の詳細な説明】
【技術分野】
【０００１】
本発明は多様な型の製品に応用されることができる多用途カバー支持台に関し、さらに詳しくは、携帯性と使用性を向上させることができる多用途カバー支持台に関する。
【背景技術】
【０００２】
説明しようとする内容が含まれるページ部とそのページ部の両側に折り畳まれるカバーとで構成される製品、例えば書籍、ノート、メモ手帳、アルバム、写真集、名刺入れ、ダイアリー、カレンダー、保険会社や銀行などのカタログ、電子手帳などの製品は、ページ部を使用したり、メモをしようとする時、その製品をテーブルの上に置いて体を前方に引いて頭を下げることが多かった。
【０００３】
しかし、テーブルに向かって体を前に引いて頭を下げる姿勢は、腰と目に負担を与える姿勢で、長期的に繰り返す場合に、脊椎疾患、視力減退、蓄膿症、勉強能率の低下などの問題が多かった。
【発明の概要】
【発明が解決しようとする課題】
【０００４】
本発明は上記のような従来技術の問題点を解決するために創出されたもので、本発明の目的は腰や頭を下げないで使用することができて、便利性を極大化することができ、さらに携帯性を向上させることができる多用途カバー支持台を提供することにある。
【課題を解決するための手段】
【０００５】
上記の目的を実現するための本発明の一実施形態による多用途カバー支持台は、ページ部の前後面に折り畳まれて、バインダーによってバインディングされる前面カバーと後面カバーを含むカバー支持台において、
【０００６】
上記前面カバーは分節ラインによって区画されるメイン前面カバーとサブ前面カバーとで形成され、上記メイン前面カバーとサブ前面カバーとの間にはそのメイン前面カバーとサブ前面カバーが開かれる角度を維持するように互いに連結される角度維持部が設置されることを特徴とする。
【０００７】
本発明の特徴及び利点は添付図面に基づいた次の詳細な説明によってさらに明確になる。これに先立って、本明細書及び請求の範囲に用いられる用語や単語は通常的で辞書的な意味に解釈されてはならなく、発明者が自分の発明を最も最善の方法で説明するために用語の概念を適切に定義することができるという原則に即して、本発明の技術思想に符合する意味及び概念に解釈すべきである。
【発明の効果】
【０００８】
本発明の多用途カバー支持台によれば、分節ラインによって区画されるメイン前面カバーとサブ前面カバーとからなる前面カバーと、メイン前面カバーとサブ前面カバーとの間に設置されて、そのメイン前面カバーとサブ前面カバーが開かれる角度を維持するように互いに連結される角度維持部を含むことによって、前面カバーと後面カバーを立てておいたり、折り畳んだ状態を容易に維持することができ、これによって腰や頭を下げないで使用することができて、使用性はもちろん携帯性を向上させることができるという作用及び效果がある。
【図面の簡単な説明】
【０００９】
【図１】本発明による多用途カバー支持台の第１実施形態を説明するための図。
【図２】前面カバーと後面カバーに設置される状態維持部を説明するための図。
【図３】図２の状態維持部によって前面カバーと後面カバーとが立てられることを説明するための図。
【図４】前面カバーが後面カバーに対して鈍角を成して開かれた動作を説明するための図。
【図５】前面カバーの立てられた角度を維持する角度維持部を説明するための図。
【図６】図５の角度維持部の他の実施形態を説明するための図。
【図７】前面カバーに形成された写真着脱部を説明するための図。
【図８】図７の写真着脱部の他の実施形態を説明するための図。
【図９】図７の写真着脱部の他の実施形態を説明するための図。
【図１０】前面カバーと後面カバーを直接連結するバインダーを説明するための図。
【図１１】ページが着脱されるページ着脱部の一実施形態を説明するための図。
【図１２】ページが着脱されるページ着脱部の他の実施形態を説明するための図。
【図１３】ページが着脱されるページ着脱部の他の実施形態を説明するための図。
【図１４】後面カバーがメイン後面カバーとサブ後面カバーとからなることを説明するための図。
【図１５】図１４の前面カバーが後面カバーに対して鈍角を成して開かれた動作を説明するための図。
【図１６】図１５の前面カバーと後面カバーが立てられた状態を説明するための図。
【図１７】後面カバーがメイン後面カバーとサブ後面カバーとからなることを説明するための図。
【図１８】図１７の開かれる後面カバーによって立てられることができることを説明するための図。
【図１９】本発明による多用途カバー支持台の第２実施形態を説明するための図。
【図２０】図１９の前面カバーと後面カバーが立てられた状態を説明するための図面。
【発明を実施するための形態】
【００１０】
上述した本発明の目的、特徴及び長所は以下の詳細な説明によってより明確になる。
【００１１】
以下、添付された図面を参照して本発明による多用途カバー支持台を説明すれば下記の通りである。
【００１２】
まず、図面において、同一の構成要素または部品は同一の参照符号で示していることに留意すべきである。本発明を説明するにあたって、関連する公知の機能または構成に対する具体的な説明は、本発明の要旨を明確にするために省略する。
【００１３】
以下、本発明の目的を果たすことができる好ましい実施形態の技術構成及び效果を添付された図面を参考して説明すれば下記の通りである。
【００１４】
図１は本発明による多用途カバー支持台の第１実施形態を説明するための図面であり、図２は前面カバーと後面カバーに設置される状態維持部を説明するための図面であり、図３は図２の状態維持部によって前面カバーと後面カバーが立てられることを説明するための図面である。
【００１５】
また、図４は前面カバーが後面カバーに対して鈍角を成して開かれた動作を説明するための図面であり、図５は前面カバーの立てられた角度を維持する角度維持部を説明するための図面であり、図６は図５の角度維持部の他の実施形態を説明するための図面である。
【００１６】
ここに示したように、本発明による多用途カバー支持台の第１実施形態は、ページ部１２０の前後面に折り畳まれて、バインダー１１０によってバインディングされる前面カバー１３０と後面カバー１４０とを含む。この時、前面カバー１３０は、分節ライン１３０ａによって区画されるメイン前面カバー１３１とサブ前面カバー１３２とからなり、メイン前面カバー１３１とサブ前面カバー１３２との間には、そのメイン前面カバー１３１とサブ前面カバー１３２とが開かれた角度を維持するように互いに連結される角度維持部１５０が設置される。また、前面カバー１３０の端部と後面カバー１４０の端部との間には、その前面カバー１３０と後面カバー１４０が折り畳まれた状態を維持したり、または立てられた状態を維持することができるように状態維持部１６０が連結されることができる。
【００１７】
添付された図面には、サブ前面カバー１３２がメイン前面カバー１３１の端部に分節ライン１３０ａによって連結されているが、サブ前面カバー１３２がメイン前面カバー１３１の端部の下側に形成されることもできることは勿論である。
【００１８】
バインダー１１０は前面カバー１３０と後面カバー１４０をバインディングするためのもので、多様な形態で具現されることができる。このようなバインダー１１０は、例えば、互いに折り畳まれた前面カバー１３０、ページ部１２０、後面カバー１４０の上部に形成された締結孔を貫通する複数のリングで具現されたり、または後述するように、前面カバー１３０と後面カバー１４０の上部が分節ラインによって直接連結される構造で具現されることができる。または、バインダー１１０は分節ラインなしに、前面カバー１３０と後面カバー１４０を曲面形態に直接連結される構造で具現されることができる。
【００１９】
ページ部１２０は多様な形態で具現されることができる。例えば、ページ部１２０は、絵が印刷された複数のページ面で具現されたり、暦が月単位または週単位に印刷された複数のページ面で具現されたり、事務空間でよく発生する典型的な状況に相応しい状況別案内文で、「只今会議中です」または「外出中です」または「出張中です」などのような案内文が印刷された複数のページ面で具現されることができる。または、メモ及び筆記ができる複数のページ面で具現されたり、電話番号等を記載することができるページ面で具現されたり、住所を記載することができるページ面で具現されることができる。または、写真、絵等が挿入されることができるアルバムページ面で具現されたり、地図等が印刷された地図ページ面等で具現されたり、瞑想録等が印刷されたページ面で具現されることもできる。
【００２０】
前面カバー１３０において、メイン前面カバー１３１の中間上部または下部側には、水平方向にメイン前面カバー１３１より薄い厚さを有する段差部面１３１ａが形成されている。段差部面１３１ａには、分節ライン１３０ａを中心に折り畳まれるサブ前面カバー１３２が畳まれる。この時、段差部面１３１ａの厚さはメイン前面カバー１３１の厚さより薄いので、サブ前面カバー１３２が段差部面１３１ａに畳まれる時メイン前面カバー１３１の厚さと等しくなる。
【００２１】
メイン前面カバー１３１とサブ前面カバー１３２には、図１に示したように、そのメイン前面カバー１３１とサブ前面カバー１３２が折り畳まれた状態を維持するようにする着脱部１３６が設置される。このような着脱部１３６は互いに着脱される磁石や、磁石と鉄片で具現され、本実施形態では、メイン前面カバー１３１に設置される磁石１３６ａと、サブ前面カバー１３２に設置されて、磁石１３６ａに附着される鉄片１３６ｂとからなる。しかし、着脱部１３６は互いに着脱可能なベルクロで具現されたり、ボタン式で具現されることもできることは勿論である。
【００２２】
角度維持部１５０は、そのメイン前面カバー１３１とサブ前面カバー１３２が開かれる角度を維持するように互いに連結されるもので、多様な実施形態で具現されることができる。
【００２３】
角度維持部１５０の一実施形態は、図１及び図４に示したように、布や紙からなり、折られるバンドで具現されることができる。このような角度維持部１５０は、サブ前面カバーの端部と、メイン前面カバーまたは段差部面の端部に熱接着または超音波接着等を通じて連結されることができる。この時、角度維持部１５０は、サブ前面カバー及びメイン前面カバーの幅と同一の幅を有するシート形態でも具現されることができる。または、角度維持部１５０は、二つ以上のバンドで具現されることもできることは勿論で、設置位置が変更可能であることは勿論である。
【００２４】
角度維持部１５５の他の実施形態は、図５に示したように、前面カバー１３０の下端に折り畳まれることができるように連結されて、前面カバー１３０から開かれた時、サブ前面カバー１３２の端部が係止されたり、前面カバー１３０に折った時、メイン前面カバー１３１の係止溝１３１ｂに嵌められる複数の係止突起１５５ｂを有する。このような角度維持部１５５は多様な材質で具現されることができるが、例えば、針金を曲げて形成されることができる。ここで、係止突起１５５ｂには、サブ前面カバー１３２の端部が係止される。また、角度維持部１５５をメイン前面カバー１３１に折り畳む時、係止突起１５５ｂは係止溝１３１ｂに嵌められる。
【００２５】
角度維持部１５６の他の実施形態は、図６に示したように、全体的に矩形に形成された板材１５６ａに、上方に突出される係止片１５６が所定間隔に配置されて具現されることもできる。この時、角度維持部１５６は、金属材質の板材１５６ａに係止突起１５６ｂを熔接して具現されたり、プラスチックや樹脂を利用して板材１５６ａ及び係止突起１５６ｂを一度に成形することもできる。このような角度維持部１５６の係止突起１５６ｂには、サブ折り畳みカバー１３２の端部が係止される。また、角度維持部１５６をメイン前面カバー１３１の背面に畳む時係止突起１５６ｂは係止溝１３１ｂに嵌められる。
【００２６】
一方、状態維持部１６０は、前面カバー１３０と後面カバー１４０とが折り畳まれた状態を維持したり、立てられた状態を維持することができるようにするもので、多様な形態で具現されることができる。
【００２７】
本実施形態で、状態維持部１６０は、図２に示したように、前面カバー１３０と後面カバー１４０の中のいずれか一つに設置されるバンド部材１６１と、バンド部材１６１の端部に設置される第１着脱部１６２と、前面カバー１３０と後面カバー１４０の中の他の一つに設置されて、第１着脱部１６２に着脱される第２着脱部１６３と、第２着脱部１６３の上部に設置されて、第１着脱部１６２に着脱される第３着脱部１６４とを含む。本実施形態では、後面カバー１４０の端部にバンド部材１６１が設置され、バンド部材１６１の端部に第１着脱部１６２が設置され、分節ライン１３０ａの側のメイン前面カバー１３１の内部に第２着脱部１６３が設置され、サブ前面カバー１３２の上部側に第３着脱部１６４が設置されたことが挙げられている。
【００２８】
上記第１着脱部１６２と、第２着脱部１６３及び第３着脱部１６４は互い着脱が可能なベルクロで具現されたり、磁力で着脱が可能になるように磁石と鉄片で具現されたり、反対極性に配置される磁石等で具現されることができる。また、第１着脱部１６２は、バンド部材１６１に内装されて、外部から見えないようにすることもでき、第２着脱部１６３及び第３着脱部１６４は、前面カバーまたは後面カバーの端部に内装されて外部から見えないようにすることもできる。
【００２９】
本実施形態で、第１着脱部１６２は、バンド部材１６１に設置された雄ボタン形の鉄片で、第２着脱部１６３は第１着脱部１６２が附着されることができるように雌ボタン形の磁石でなっている。
【００３０】
図７は前面カバーに形成された写真着脱部を説明するための図面であり、図８は図７の写真着脱部の他の実施形態を説明するための図面であり、図９は図７の写真着脱部の他の実施形態を説明するための図面である。
【００３１】
前面カバー１３０のメイン前面カバー１３１の前面または後面には写真が着脱される一つまたは二つ以上の写真着脱部が形成されている。写真着脱部は、メイン前面カバー１３１に写真を着脱することができるようにして、メイン前面カバー１３１がアルバム機能をすることができるようにする。このような写真着脱部は１７１は、図７に示したように、メイン前面カバー１３１の全体に一つ形成されることもできる。または、図８に示したように、二つ以上、例えば四角形の写真着脱部１７２、楕円形の写真着脱部１７３、ハート形の写真着脱部１７４などで形成することができる。このような写真着脱部１７１、１７２、１７３、１７４それぞれは、メイン前面カバーに形成されたウィンドウ１７１ａ、１７２ａ、１７３ａ、１７４ａと、それぞれのウィンドウの側部に形成されて、メイン前面カバー１３１で内部に写真が進入される写真出入部１７１ｂ、１７２ｂ、１７３ｂ、１７４ｂを含む、この時、写真出入部の位置はウィンドウの側部または下部等の多様な位置に形成されることができる。
【００３２】
一方、写真着脱部１７５は、図９に示したように、メイン前面カバー１３１の表面に形成された写真出入部１７５ａと、写真出入部１７５ａを開閉するウィンドウ１７５ｂとを含む。ウィンドウ１７５ｂは、写真出入部１７５ａの一側端に連結される構造であることもでき、写真出入部１７５ａから分離した構造で具現することもできる。この時、ウィンドウ１７５ｂと写真出入部１７５ａには、そのウィンドウ１７５ｂが写真出入部１７５ａに畳まれた状態を維持することができるようにする磁力式着脱部１７５ｃ、１７５ｄが設置される。このような磁力式着脱部１７５ｃ、１７５ｄは互い着脱される磁石や、磁石と鉄片で具現され、本実施形態では、メイン前面カバー１３１に設置される磁石１７５ｃと、ウィンドウ１７５ｂに設置されて磁石１７５ｃに附着される鉄片１７５ｄとで構成される。
【００３３】
バインダー１１０または前面カバー１３０または後面カバー１４０には、各種情報が印刷されたり、筆記可能にするページ部を着脱可能に支持するためのページ着脱部が設置されることができる。このようなページ着脱部は多様な形態で具現されることができ、これを実施形態で分けて説明すれば下記の通りである。
【００３４】
図１０は前面カバーと後面カバーを直接連結するバインダーを説明するための図面であり、図１１はページが着脱されるページ着脱部の一実施形態を説明するための図面であり、図１２及び図１３はページが着脱されるページ着脱部の他の実施形態を説明するための図面である。
【００３５】
ページ着脱部１８１の一実施形態は、図１１に示したように、前面カバー１３０と後面カバー１４０を直接連結するバインダー１１０に設置されて、バインダー１１０に固定される本体１８１ａと、本体１８１ａに設置されて、その本体１８１ａの動作によって互いに開かれたり閉められる締結リング１８１ｂとで構成されることができる。このような構造によって、本体１８１ａの操作によって開かれたり、閉められる締結リング１８１ｂをページ部１２０の締結孔１２０ａに嵌め込むことによって、ページ部１２０をページ着脱部１８１に着脱させることができる。ここで、上記したように、本体１８１ａの操作によって開かれたり閉められる締結リング１８１ｂは、本技術領域において公知の技術であるためこれ以上の詳細な説明は省略する。
【００３６】
ページ着脱部１８２の他の実施形態は、図１２及び図１３に示したように、前面カバー１３０と後面カバー１４０を直接連結するバインダー１１０に形成されて、ページ部１２０をバインディングするサブ締結リング１２１が嵌められる複数の嵌込溝１８３ａと、嵌込溝１８３ａに突出されるサブ締結リング１２１を貫通する固定帯１８３ｂとで具現される。このような構造によって、ページ部のサブ締結リング１２１を嵌込溝１８３ａに嵌め込んだ後、バインダー１１０の後方に突出されるサブ締結リング１２１を固定帯１８３ｂに貫通させることによって、ページ部１２０をページ着脱部１８３に着脱させることができる。
【００３７】
また、ページ着脱部は、バインダー１１０に設置されて、紙が入ることができる複数のビニール袋で具現されることもでき、前面カバー１３０または後面カバー１４０の内側に形成されて、各種情報媒体が入るポケットで具現されることもできるなど多様な形態で具現されることができることは勿論である。
【００３８】
図１４は後面カバーがメイン後面カバーとサブ後面カバーとからなることを説明するための図面であり、図１５は図１４の前面カバーが後面カバーに対して鈍角を成して開かれた動作を説明するための図面であり、図１６は図１５の前面カバーと後面カバーが立てられた状態を説明するための図面である。
【００３９】
図示したように、後面カバー１４０は、分節ライン１４０ａによって区画されるメイン後面カバー１４１とサブ後面カバー１４２とからなり、メイン後面カバー１４１とサブ後面カバー１４２との間に設置されるそのメイン後面カバー１４１とサブ後面カバー１４２とが折り畳まれた状態を維持することができるようにする着脱部１４６が設置される。このような着脱部１４６は、前面カバーで説明したように、互いに着脱される磁石や、磁石と鉄片で具現することができる。本実施形態では、着脱部１４６は、メイン後面カバー１４１に設置される磁石１４６ａと、サブ後面カバー１４２に設置されて、磁石１４６ａに附着される鉄片１４６ｂとからなる。また、サブ後面カバー１４２の端部には第２着脱部１６３に着脱される第４着脱部１６５が設置される。ここで、第２着脱部１６３と第４着脱部１６５とは互いに着脱される磁石や、磁石と鉄片で具現される。また、メイン後面カバー１４１の中間上部または下部側には水平方向にそのメイン後面カバー１４１より薄い厚さを有する段差部面１４１ａが形成され、サブ後面カバー１４２は分節ライン１４０ａを中心に折り畳まれる時、段差部面１４１ａに折り畳まれる。このような構造によって、本発明の多用途カバー支持台を立てておこうとする場合には、図１６に示したように、サブ前面カバー１３２をメイン前面カバー１３１に折り畳んだ後に、サブ後面カバー１４２を、分節ライン１４０ａを中心に斜めに折った後、サブ後面カバー１４２の第４着脱部１６５を第１着脱部１６３に附着する。それで、多用途カバー支持台は側部から見た時三角形に立てられる。
【００４０】
また、サブ後面カバー１４２には、分節ライン１３０ａ側のメイン前面カバー１３１に設置された第２着脱部１６３が着脱される第５着脱部１６６が設置されることができる。上記第５着脱部１６６は、第２着脱部１６３と互いに着脱可能なベルクロで具現されたり、磁力で着脱が可能になるように磁石と鉄片で具現されたり、反対極性に配置される磁石等で多様な形態で具現されることができる。このような構造によって、第２着脱部１６３が特定の位置の第５着脱部１６６に附着されることによって、多用途カバー支持台の立て角度が変化されることができる。
【００４１】
次に、上記多用途カバー支持台の動作を説明する。
【００４２】
本発明の多用途カバー支持台を携帯しようとする場合には、図２に示したように、分節ライン１３０ａを中心にサブ前面カバー１３２をメイン前面カバー１３１の段差部面１３１ａに折り畳む。それで、メイン前面カバー１３１に設置される磁石１３６ａとサブ前面カバー１３２に設置された鉄片１３６ｂが互い附着されることによって、サブ前面カバー１３２はメイン前面カバー１３１に折り畳まれる。このような状態で、バンド部材１６１を曲げて第１着脱部１６２を第３着脱部１６４に附着させる。
【００４３】
本発明の多用途カバー支持台を立てておこうとする場合には、図３に示したように、前面カバー１３０と後面カバー１４０をバインダー１１０を中心に斜めに立て、バンド部材１６１を広げて第１着脱部１６２を第２着脱部１６３に附着させる。それで、多用途カバー支持台は側部から見た時三角形に立てられる。
【００４４】
本発明の多用途カバー支持台を図４に示したように配置することもできる。即ち、後面カバー１４０に対して前面カバー１３０を鈍角を成すように反らした後、サブ前面カバー１３２を分節ライン１３０ａを中心に後方に広げる。それで、サブ前面カバー１３２とメイン前面カバー１３１との間の角度維持部１５０は平たくなり、その結果、メイン前面カバー１３１が斜めに角度を維持するようにする。この状態で、ページ部１２０の一部をメイン前面カバー１３１に寄らせることができ、残り一部を後面カバー１４０に寄らせることができ、メイン前面カバー１３１に寄られたページ部と後面カバー１４０に寄られたページ部を同時に見ることができる。
【００４５】
図１７は後面カバーがメイン後面カバーとサブ後面カバーとからなることを説明するための図面であり、図１８は図１７の開かれた後面カバーによって立てられることができることを説明するための図面である。
【００４６】
図示したように、後面カバー１４０はその上端が連結されて互いに折り畳まれることができるメイン後面カバー１４３ａと、サブ後面カバー１４３ｂとからなり、メイン後面カバー１４３ａとサブ後面カバー１４３ｂとの間には、そのメイン後面カバー１４３ａとサブ後面カバー１４３ｂが開かれた角度を維持するように互いに連結されるサブ角度維持部１４４が設置される。また、メイン前面カバー１４３ａとサブ前面カバー１４３ｂに、そのメイン前面カバー１４３ａとサブ前面カバー１４３ｂが折り畳まれた状態を維持するようにするサブ着脱部１４５が設置される。
【００４７】
この場合、サブ着脱部１４５は前面カバーで説明したように、互いに着脱される磁石や、磁石と鉄片で具現することができる。本実施形態では、サブ着脱部１４５は、メイン後面カバー１４３ａに設置される磁石１４５ａと、サブ後面カバー１４３ｂに設置されて磁石１４５ａに附着される鉄片１４５ｂとからなる。
【００４８】
このような構造によって、本発明の多用途カバー支持台を立てておこうとする場合には、図１８に示したように、サブ後面カバー１４３ｂをメイン後面カバー１４３ａに対して開ける。それで、多用途カバー支持台は側部から見た時三角形に立てられる。
【００４９】
次に、本発明による多用途カバー支持台の第２実施形態を説明する。
【００５０】
図１９は本発明による多用途カバー支持台の第２実施形態を説明するための図面であり、図２０は図１９の前面カバーと後面カバーが立てられた状態を説明するための図面である。
【００５１】
図示したように、本発明による多用途カバー支持台の第２実施形態は、ページ部２００の前後面に折り畳まれて、バインダー２１０によってバインディングされる前面カバー２３０と後面カバー２４０とを含む。この場合、前面カバー２３０は、分節ライン２３０ａによって区画されるメイン前面カバー２３１とサブ前面カバー２３２とからなり、メイン前面カバー２３１とサブ前面カバー２３２との間には、そのメイン前面カバー２３１とサブ前面カバー２３２とが開かれた角度を維持するように互いに連結される角度維持部２５０が設置され、サブ前面カバー２３２の端部には第１着脱部２６１が設置され、後面カバー２４０の端部には上記第１着脱部２６１に附着される第２着脱部２６２が設置される。
【００５２】
上記バインダー２１０、ページ部２００、角度維持部２５０及び着脱部２３６は、多用途カバー支持台の第１実施形態で説明されたバインダー１１０、ページ部１２０の角度維持部１５０及び着脱部２３６と実質的に同一であるのでこれ以上の説明は省略する。
【００５３】
第１、２着脱部２６１、２６２は、サブ前面カバー２３２と後面カバー２４０の内に内装されることもでき、外部に露出される多様な装飾とともに設置されることもできる。このような第１着脱部２６１と第２着脱部２６２は、一方が磁石であれば、他方は鉄片で具現されたり、互いに反対極性を有する磁石で具現され、ボタン形状や長いバー形状、またはベルクロ等の多様な形態で具現されることができる。このような構造によって、本発明の多用途カバー支持台を立てておこうとする場合には、図２０に示したように、サブ前面カバー２３２を分節ライン２３０ａを中心に斜めに折り畳んだ後、サブ前面カバー２３２の第１着脱部２６１を後面カバー２４０の第２着脱部２６２に附着する。それで、多用途カバー支持台は側部から見た時三角形に立てられる。
【００５４】
この場合、バインダー２１０または前面カバー２３０または後面カバー２４０には、多用途カバー支持台の第１実施形態で説明されたページ着脱部が設置されることもできる。このようなページ着脱部は、各種情報が印刷されたり、筆記可能にするページ部を着脱可能に支持する。
【００５５】
一方、本発明は記載された実施形態に限定されるのではなく、本発明の思想及び範囲を逸脱しないで、多様に修正及び変形することができることは、当該技術分野における通常の知識を有する者にとって自明である。従って、そのような変形例または修正例は本発明の特許請求の範囲に属するとすべきである。
【符号の説明】
【００５６】
１１０：バインダー  
１２０：ページ部
１２０ａ：締結孔
１２１：サブ締結リング  
１３０：前面カバー  
１３０ａ：分節ライン
１３１：メイン前面カバー
１３１ａ：段差部面
１３１ｂ：係止溝
１３２：サブ前面カバー
１３６：着脱部  
１３６ａ：磁石
１３６ｂ：鉄片  
１４０：後面カバー
１４１：メイン後面カバー
１４１ａ：段差部面
１４２：サブ後面カバー  
１４３：後面カバー
１４３ａ：メイン後面カバー
１４３ｂ：サブ後面カバー
１４４：サブ角度維持部
１４５：サブ着脱部
１４６：着脱部  
１４６ａ：磁石
１４６ｂ：鉄片
１５０：角度維持部
１５５：角度維持部
１５５ｂ：係止突起
１５６：角度維持部
１５６ａ：板材
１５６ｂ：係止突起
１６０：状態維持部
１６１：バンド部材
１６２：第１着脱部
１６３：第２着脱部
１６４：第３着脱部
１６５：第４着脱部
１７１、１７２、１７３、１７４、１７５：写真着脱部
１７１ａ、１７２ａ、１７３ａ、１７４ａ：ウィンドウ
１７１ｂ、１７２ｂ、１７３ｂ、１７４ｂ：写真出入部
１７５ａ：写真出入部
１７５ｂ：ウィンドウ
１７５ｃ、１７５ｄ：磁力式着脱部
１８１：ページ着脱部  
１８１ａ：本体
１８１ｂ：締結リング
１８３：ページ着脱部
１８３ａ：嵌込溝  
１８３ｂ：固定帯
２１０：バインダー  
２２０：ページ部
２３０：前面カバー
２３１：メイン前面カバー
２３２：サブ前面カバー
２４０：後面カバー
２５０：角度維持部
２６１、２６２：第１、２着脱部
【図１】
2010533028.tif 000003
【図２】
2010533028.tif 000004
【図３】
2010533028.tif 000005
【図４】
2010533028.tif 000006
【図５】
2010533028.tif 000007
【図６】
2010533028.tif 000008
【図７】
2010533028.tif 000009
【図８】
2010533028.tif 000010
【図９】
2010533028.tif 000011
【図１０】
2010533028.tif 000012
【図１１】
2010533028.tif 000013
【図１２】
2010533028.tif 000014
【図１３】
2010533028.tif 000015
【図１４】
2010533028.tif 000016
【図１５】
2010533028.tif 000017
【図１６】
2010533028.tif 000018
【図１７】
2010533028.tif 000019
【図１８】
2010533028.tif 000020
【図１９】
2010533028.tif 000021
【図２０】
2010533028.tif 000022
【国際調査報告】
2010533028.tif 000023
2010533028.tif 000024